(57)【要約】【課題】治療に適する医療従事者の選定等を行い、医療従事者に関する医療情報を提供可能な医療情報提供システムの提供を課題とする。【解決手段】医療情報提供システム１は、医療従事者ＭＭに関する医療情報ＭＩをデータベース化した医療情報データベースＭＩＤを有する管理サーバ２と、傷病者ＣＫの利用する傷病者端末３と、医師等の医療従事者ＭＭの利用する医療者端末４とから主に構成されている。そして、管理サーバ２は傷病者端末３から送出される傷病者情報ＳＩにより、傷病者ＣＫの治療に適する医療従事者ＭＭを、医療専門家チームによる選定、または検索及び抽出し、選定等がなされた医療従事者ＭＭの医療情報ＭＩを傷病者端末ＳＩに提供し、さらに傷病者ＣＫに関する傷病者情報ＳＩを医療者端末４に提供する。また、管理サーバ２は医療者端末４から提供される治療に関する指示情報ＤＩを傷病者端末３に対して転送する。【選択図】        図１
2004303180.tif 000002
【特許請求の範囲】
【請求項１】
通信ネットワークに接続した管理サーバで、医療従事者に関する医療情報を管理し、提供する医療情報提供システムであって、
前記管理サーバは、
医師、看護師、薬剤師、及び介護士を含む前記医療従事者の職種、専門分野、経歴、及び実務経験年数に係る情報を有する前記医療情報をデータベース化した医療情報データベースを記憶する記憶手段と、
傷病者の症状及び容態についての問診を行い、傷病者情報として取得するための問診データを配信要求先に配信する問診データ配信手段と、
前記問診データに入力された前記傷病者情報を、前記通信ネットワークを介して受付ける傷病者情報受付手段と、
前記傷病者の治療に適する前記医療従事者を、受付けた前記傷病者情報に基づいて、医療専門家によって前記医療情報データベースの前記医療情報の中から選定し、選定された前記医療従事者の利用する医療者端末に対して前記傷病者情報を提供する傷病者情報提供手段と、
前記傷病者情報の送出先に、選定された前記医療従事者に対応する前記医療情報を提供する医療情報提供手段と、
提供した前記傷病者情報に対し、前記医療者端末から送出される前記傷病者の治療に係る指示を含む指示情報を、前記通信ネットワークを介して受付けるとともに、前記傷病者情報の送出先に転送する指示情報転送手段と
を具備することを特徴とする医療情報提供システム。
【請求項２】
前記管理サーバは、
受付けた前記傷病者情報及び前記医療情報データベースに基づいて、前記傷病者の治療に適する前記医療従事者を検索し、抽出する抽出手段と、
抽出された前記医療従事者に対応する前記医療者端末に、前記傷病者情報を前記通信ネットワークを介して提供する第二傷病者情報提供手段と
をさらに具備することを特徴とする請求項１に記載の医療情報提供システム。
【請求項３】
前記通信ネットワークに接続し、主として前記傷病者によって利用される傷病者端末は、
前記管理サーバに前記問診データの配信を要求する配信要求手段と、
配信された前記問診データを受付け、前記問診データへの前記傷病者の症状及び容態を示す前記傷病者情報の入力を受付ける傷病者情報入力手段と、
入力された前記傷病者情報を、前記通信ネットワークを介して送出する傷病者情報送出手段と、
前記管理サーバから提供される前記医療情報を、前記通信ネットワークを介して受付ける医療情報受付手段と、
前記管理サーバから転送される前記指示情報を、前記通信ネットワークを介して受付ける指示情報受付手段と
を具備することを特徴とする請求項１または請求項２に記載の医療情報提供システム。
【請求項４】
前記医療者端末は、
前記管理サーバから提供される前記傷病者情報を、前記通信ネットワークを介して受付ける傷病者情報受付手段と、
受付けた前記傷病者情報に基づいて前記指示情報を作成し、前記管理サーバに対して送出する指示情報送出手段と
をさらに具備することを特徴とする請求項１乃至請求項３のいずれか一つに記載の医療情報提供システム。
【請求項５】
前記医療者端末は、
受付けた前記傷病者情報及び前記指示情報の少なくともいずれか一方を含む治療指示情報を、前記通信ネットワークに接続した第二医療者端末に対して提供する治療指示情報提供手段をさらに具備し、
前記第二医療者端末は、
前記治療指示情報提供手段によって前記医療者端末から提供される前記治療指示情報を、前記通信ネットワークを介して受付ける治療指示情報受付手段と、
受付けた前記治療指示情報に基づいて前記指示情報を作成し、前記管理サーバに対して前記通信ネットワークを介して送出する第二指示情報送出手段と
を具備することを特徴とする請求項１乃至請求項４のいずれか一つに記載の医療情報提供システム。
【請求項６】
前記医療情報は、
病院、介護施設、処方箋薬局を含む医療関連施設に係る規模、設備、及び管理体制に関する施設データをさらに有して構成され、
前記施設データを利用して、前記医療従事者の前記傷病者情報提供手段における前記医療専門家の選定及び前記抽出手段による抽出の少なくともいずれか一方が行われることを特徴とする請求項２乃至請求項５のいずれか一つに記載の医療情報提供システム。
【請求項７】
前記医療情報は、
前記医療従事者及び前記医療関連施設に対する第三者評価を含む格付データをさらに有することを特徴とする請求項６に記載の医療情報提供システム。
【請求項８】
医師、看護師、薬剤師、及び介護士を含む医療従事者の職種、専門分野、経歴、及び実務経験年数に係る情報を有する医療情報をデータベース化した医療情報データベースを記憶する記憶手段、傷病者の症状及び容態についての問診を行い、傷病者情報として取得するための問診データを配信要求先に配信する問診データ配信手段、前記問診データに入力された前記傷病者情報を、通信ネットワークを介して受付ける傷病者情報受付手段、前記傷病者の治療に適する前記医療従事者を、受付けた前記傷病者情報に基づいて、医療専門家によって前記医療情報データベースの前記医療情報の中から選定し、選定された前記医療従事者の利用する医療者端末に対して前記傷病者情報を提供する傷病者情報提供手段、前記傷病者情報の送出先に、選定された前記医療従事者に対応する前記医療情報を提供する医療情報提供手段、及び提供した前記傷病者情報に対し、前記医療者端末から送出される前記傷病者の治療に係る指示を含む指示情報を、前記通信ネットワークを介して受付けるとともに、前記傷病者情報の送出先に転送する指示情報転送手段として、前記通信ネットワークに接続した管理サーバを機能させることを特徴とする医療情報提供プログラム。
【請求項９】
受付けた前記傷病者情報及び前記医療情報データベースに基づいて、前記傷病者の治療に適する前記医療従事者を検索し、抽出する抽出手段、及び抽出された前記医療従事者に対応する前記医療者端末に、前記傷病者情報を前記通信ネットワークを介して提供する第二傷病者情報提供手段として、前記管理サーバをさらに機能させることを特徴とする請求項８に記載の医療情報提供プログラム。
【請求項１０】
前記管理サーバに前記問診データの配信を要求する配信要求手段、配信された前記問診データを受付け、前記問診データへの前記傷病者の症状及び容態を示す前記傷病者情報の入力を受付ける傷病者情報入力手段、入力した前記傷病者情報を、前記通信ネットワークを介して送出する傷病者情報送出手段、前記管理サーバから提供される前記医療情報を、前記通信ネットワークを介して受付ける医療情報受付手段、及び前記管理サーバから転送される前記指示情報を、前記通信ネットワークを介して受付ける指示情報受付手段として、前記通信ネットワークに接続し、主として前記傷病者によって利用される傷病者端末を機能させることを特徴とする請求項８または請求項９に記載の医療情報提供プログラム。
【請求項１１】
前記管理サーバから提供される前記傷病者情報を、前記通信ネットワークを介して受付ける傷病者情報受付手段、及び受付けた前記傷病者情報に基づいて前記指示情報を作成し、前記管理サーバに対して送出する指示情報送出手段として、前記医療者端末を機能させることを特徴とする請求項８乃至請求項１０のいずれか一つに記載の医療情報提供プログラム。
【請求項１２】
受付けた前記傷病者情報及び前記指示情報の少なくともいずれか一方を含む治療指示情報を、前記通信ネットワークに接続した第二医療者端末に対して提供する治療指示情報提供手段として、前記管理サーバをさらに機能させ、前記治療指示情報提供手段によって前記医療者端末から提供される前記治療指示情報を、前記通信ネットワークを介して受付ける治療指示情報受付手段、及び受付けた前記治療指示情報に基づいて前記指示情報を作成し、前記管理サーバに対して前記通信ネットワークを介して送出する第二指示情報送出手段として、前記第二医療者端末を機能させることを特徴とする請求項８乃至請求項１１のいずれか一つに記載の医療情報提供プログラム。
【発明の詳細な説明】
【０００１】
【発明の属する技術分野】
本発明は、医療情報提供システム、及び医療情報提供プログラムに関するものであり、特に、傷病者の病状や容態を把握し、治療に適する医師及び看護師等の医療従事者及び病院等の医療関連施設の紹介等を含む医療情報を提供することが可能な医療情報提供システム、及び医療情報提供プログラムに関するものである。
【０００２】
【従来の技術】
従来から、病気に罹患した人、或いは事故などによって怪我を負った人（以下、「傷病者」と特に称す）は、病気や怪我を治療するために病院などの医療関連施設に通院をすることがある。特に、近年に入り、高齢社会への移行がほぼ完了した現代においては、年間の医療費の増大も顕著なものとなり、社会生活における医療との関わりが以前にも増して密接なものになっている。また、病院、薬局、介護施設、リハビリテーション施設などの医療関連施設の数も増大し、さらにこのような施設で働く医療に従事する人々（医師、看護師、薬剤師、及び介護士などの所謂「医療従事者」）の人数も増加する傾向にある。
【０００３】
ところで、傷病者が病院で診察を受けようとする場合、前述したように数多く存在する病院の中から、どの病院、或いはどの医師に診察を受けるかを決定することについて、重要視されることは少なかった。すなわち、診察を受ける病院（医師）を決定する理由として、例えば、１）自宅・勤務先の近く、或いは通勤途中にあるなど、交通の利便性が高い病院、２）以前に診察を受けた経験の有る、「馴染み」の病院、３）家族、知人等に勧められた病院、４）近所の評判（うわさ）が良い病院など、が挙げられることが多かった。つまり、傷病者の主観的な判断によるところが大きく、決定に対する判断基準が曖昧であるケースが顕著であった。特に、医師の診察・診断技術の能力の高さや、医療関連施設の管理体制や施設の充実度などを客観的に判断し、決定することはほとんどなかった。
【０００４】
さらに、俗に「待ち時間４時間、診察２分」などと言われるように、現代の診療は過密なスケジュールで行われることが多く、一人の傷病者に対して医師が直接対峙し、診察する時間は非常に限られている。そのため、短時間で傷病者の症状を的確に把握し、診断を下すことは困難であり、近年に多発する医療事故（医療ミス）を誘発する要因ともなっている。
【０００５】
また、医師や看護師などの医療従事者の中には、専門分野における経験不足等の理由から、診療技術が未熟（若しくは平均水準以下）な医療技術者も相当数が存在していることが予想され、前述した短時間の診察により、さらに誤診等の医療ミスを起こしやすい環境が助長される傾向が強くなっていた。そのため、傷病者が診察を受ける場合、担当の医師の医療技術に関する能力が優れているか、否かについて疑問を感じる人も多かった。ところが、これらの判断及び評価は、専門的な医学知識を必要とすることもあり、一般の人々が客観的な判断を下すことが困難であることもまた事実である。
【０００６】
さらに、医療事故や医療ミスを起こした場合、病院全体で隠蔽しようとする、危機管理意識の欠如した医療関連施設が多く存在する例も報告されており、傷病者は、医師等の医療従事者の能力以外に、医療関連施設の管理体制等に対しても不信感を募らせることも多かった。
【０００７】
以上の従来技術は、当業者において当然として行われているものであり、出願人は、この従来技術が記載された文献等を本願出願時において特に知見していない。
【０００８】
【発明が解決しようとする課題】
そこで、上述した医療事故等を防ぐため、治療を受ける医療関連施設及び医師などの選択を、慎重に行う人々も多くなっている。さらに、傷病者が主治医以外の専門医の意見を聞き、治療方針等を確かめる、所謂「セカンド・オピニオン」と呼ばれる活動・行動も広く浸透するようになり、傷病者が自主性を持って治療を受けられるような体勢づくりが採られる傾向も強くなっていた。
【０００９】
ところが、前述したように、医療に関する技術は、高度な専門性を有するため、医療知識の乏しい人々は、情報量の少なさ及び認識力の欠如から適格な判断を行えない場合が多かった。さらに、自らの症状に応じて、どの診療科（外科、内科、皮膚科、及び耳鼻咽喉科など）で診断を受けるかは、始めに自分で決定する必要があり、症状から的確に判断できずに、俗に言う病院の診療科を「たらい回し」にされるケースもあった。さらに、僻地などの村に一人しか医師がいない場合、或いは無医村の場合、係る住民は医療に係る専門家の多数の意見を聞く機会を有することはほどんどなかった。さらに、このような地域に居住する複数の医療専門家であっても、高度な医療知識、治療方法、及び治療施設を要する特異な疾病やケガに対して充分な治療を施すことができなかった。
【００１０】
そのため、適切な治療等が遅れ、症状をさらに悪化させてしまう可能性も高かった。加えて、近年では、非常に感染力の強い病原菌を原因とする感染症も多々報告されており、医師や看護師等の医療従事者や病院関係者などへの二次感染の例も多く報告されている。そのため、予め傷病者の症状を把握し、適切な防護措置を講じた後に、傷病者と直接対峙して診察を行ったり、或いは投薬による治療を行うことなどが、二次感染を防止するために必要であった。
【００１１】
そこで本発明は、上記実情に鑑み、傷病者の症状及び容態を示す傷病者情報に基づいて、治療に適する医師や看護師等の医療従事者をデータベースから検索及び抽出し、治療に関する適切なアドバイス等の必要な情報を遠隔地等から提供することが可能な医療情報提供システム、及び医療情報提供プログラムの提供を課題とするものである。
【００１２】
【課題を解決するための手段】
上記の課題を解決するため、本発明にかかる医療情報提供システムは、「通信ネットワークに接続した管理サーバで、医療従事者に関する医療情報を管理し、提供する医療情報提供システムであって、前記管理サーバは、医師、看護師、薬剤師、及び介護士を含む前記医療従事者の職種、専門分野、経歴、及び実務経験年数に係る情報を有する前記医療情報をデータベース化した医療情報データベースを記憶する記憶手段と、傷病者の症状及び容態についての問診を行い、傷病者情報として取得するための問診データを配信要求先に配信する問診データ配信手段と、前記問診データに入力された前記傷病者情報を、前記通信ネットワークを介して受付ける傷病者情報受付手段と、前記傷病者の治療に適する前記医療従事者を、受付けた前記傷病者情報に基づいて、医療専門家によって前記医療情報データベースの前記医療情報の中から選定し、選定された前記医療従事者の利用する医療者端末に対して前記傷病者情報を提供する傷病者情報提供手段と、前記傷病者情報の送出先に、選定された前記医療従事者に対応する前記医療情報を提供する医療情報提供手段と、提供した前記傷病者情報に対し、前記医療者端末から送出される前記傷病者の治療に係る指示を含む指示情報を、前記通信ネットワークを介して受付けるとともに、前記傷病者情報の送出先に転送する指示情報転送手段と」を具備して主に構成されている。
【００１３】
したがって、本発明の医療情報提供システムによれば、管理サーバには、予め登録された医師、看護師、薬剤師、及び介護士等の医療従事者（放射線技師、整体師、及びマッサージ師、鍼灸師等を含んでいてもよい）に関する職種や専門分野、経験などの詳細な情報が医療情報として蓄積され、医療情報データベースとして構築されている。これにより、医療情報に基づいて医療従事者の専門性や医療技術の高さなどを総合的に判断し、医療専門家が医療従事者を選定することが可能となる。なお、係る医療情報には、医療従事者の居住地（勤務先の医療関連施設名）、及び電話番号または電子メールアドレスなど、傷病者が直接コンタクトを取れる情報を含んでいても構わない。ここで医療専門家とは、傷病者情報に応じて適する医療従事者等を選定することができる人物（チーム）であり、医師等の医学的知識を有する複数の医療従事者から構成されることが望ましい。
【００１４】
そして、傷病者の病状または容態を示す傷病者情報が、通信ネットワーク上に送出され、管理サーバは該傷病者情報を受付ける。ここで、傷病者情報は、傷病者の病状等を正確に示すために、予め配信要求された問診データが利用され、傷病者情報を入力するための複数の入力・質問項目に沿って入力が行われる。係る問診データは、所謂「問診票」に相当するものである。なお、問診データの配信は、管理サーバによって運営されるホームページにアップロードされ、ブラウザソフトなどによって係るホームページを閲覧可能とするものであったり、或いは電子メールの添付ファイルなどとして配信されるものを想定することが可能である。
【００１５】
さらに、傷病者情報を受付けた管理サーバは、予めデータベース化し医療情報データベースとして記憶されている医療従事者の経歴等に関する情報を含む医療情報を複数有し、傷病者情報に基づいて適切な治療及びアドバイス等の指示を行うことができる医師等の医療従事者の選定が行われる。ここで、医療従事者の選定は、管理サーバを運営する運営会社と契約若しくは常駐する医療専門家（一人若しくは複数のチームでも可）による判断によって行われる。そして、選定された医療従事者の利用する医療者端末に対して、傷病者の症状等を示す傷病者情報が提供される。
【００１６】
なお、選定される医療従業者は、必ずしも医師に限られるものではなく、例えば、薬の処方のみで症状の治療が可能と判断される場合は、専門知識の豊富な薬剤師などが選定されることもある。
【００１７】
その後、管理サーバは、選定された医療従事者の利用する医療者端末から、傷病者情報に基づいて、傷病者の症状等に応じて講じられる治療に関する指示及びアドバイスを含む指示情報を受付け、傷病者情報の送出先に転送する。これにより、管理サーバは、傷病者と医療従事者との仲介を行い、医療に関する知識の乏しい傷病者であっても、最初から治療に適する医師等の医療従事者の診察を受けられるようになる。また、医療従事者にとっても、特に、傷病者が感染力の強い感染症の症状を訴えている場合は、傷病者情報に基づいて間接的に診断を行い、指示情報によって治療の指示が可能となるため、傷病者に直接対峙して診察を行う場合と比較し、医療従事者が二次感染を起こす危険性を回避することができる。加えて、係る感染症の傷病者を直接診察する場合でも、予め二次感染に対する防御策を講じることができる。その後、傷病者は、医療従事者（或いは医療従事者が勤務する医療関連施設）に直接連絡等を取ることが可能となり、当該分野における専門的、且つ高度な医療技術を有する医師等からの診察及び治療を直接受けられるようになる。
【００１８】
なお、前述した医療従事者による直接の診察を受けるための医療専門家が行う医療従事者の選定には、傷病者の居住している地域と、医療従事者の居住する地域とが近いなどの地域性を考慮することも可能である。例えば、傷病者が北海道の住民であり、一方、検索された医師等が沖縄に居住または勤務している場合、経済的及び時間的などの種々の要因による負担が大きいため、現実の問題として直接診断を受けることが難しい。そのため、検索される医療従事者の条件を、例えば、北海道近郊の医師等に制限するようにしても構わない。
【００１９】
一方、症状が特異であり、専門技術を有する医療従事者が、傷病者の近隣に存在しない場合などは、上述した地域性を考慮することなく選定するものであってもよい。この場合、医療従事者の居住する範囲は、当然のことながら、日本国内に限られるものではなく、世界各国の医療従事者を対象とするものであってもよい。その結果、日本国内の無医村地域に限られることなく、海外の医療技術が遅れている国や地域の住民であっても、日本やアメリカなどの最新の医療技術による診察を受けることが可能となる。
【００２０】
さらに、本発明の医療情報提供システムは、上記構成に加え、「前記管理サーバは、受付けた前記傷病者情報及び前記医療情報データベースに基づいて、前記傷病者の治療に適する前記医療従事者を検索し、抽出する抽出手段と、抽出された前記医療従事者に対応する前記医療者端末に、前記傷病者情報を前記通信ネットワークを介して提供する第二傷病者情報提供手段と」をさらに具備するものであっても構わない。
【００２１】
したがって、本発明の医療情報提供システムの作用に加え、傷病者情報に基づいて、医療従事者を管理サーバによって検索及び抽出することが行われる。これにより、医療専門家の判断に委ねることなく、傷病者情報の受付けから医療者端末への傷病者情報の提供が管理サーバの処理によって行われるため、傷病者端末（傷病者）に対して指示情報が送られる時間が短縮化される。なお、管理サーバによる検索及び抽出を確認するために、前述の医療専門家によって抽出結果を人為的にチェックすることを行っても構わない。
【００２２】
さらに、本発明の医療情報提供システムは、上記構成に加え、「前記通信ネットワークに接続し、主として前記傷病者によって利用される傷病者端末は、前記管理サーバに前記問診データの配信を要求する配信要求手段と、配信された前記問診データを受付け、前記傷病者の症状及び容態を示す前記傷病者情報を前記問診データに入力する傷病者情報入力手段と、入力した前記傷病者情報を、前記通信ネットワークを介して送出する傷病者情報送出手段と、前記管理サーバから提供される前記医療情報を、前記通信ネットワークを介して受付ける医療情報受付手段と、前記管理サーバから転送される前記指示情報を、前記通信ネットワークを介して受付ける指示情報受付手段と」を具備するものであっても構わない。
【００２３】
したがって、本発明の医療情報提供システムによれば、傷病者が主に利用する傷病者端末は、傷病者が問診データに入力することにより作成した傷病者情報を、管理サーバに対して送出し、さらに管理サーバから医療従事者に関する医療情報の提供を受付けることが可能となる。これにより、傷病者は自らの症状の治療に適する医師等の情報を医療情報として受付けることが可能となる。換言すれば、治療に最適な人材が紹介されることになる。そのため、傷病者は医療情報に基づいて、直接診察を受けるなどの行動を起こすことが可能となる。加えて、管理サーバから転送される指示情報に基づいて、日常生活において留意する点についてアドバイスを受けたり、或いは緊急入院や精密検査の勧めを受けたりすることができる。なお、傷病者端末の利用者は、主として傷病者自身が行うことが望ましいが、症状及び容態等が悪化している場合、或いは高齢者や乳幼児等の場合などで、傷病者端末を直接操作することができない際には、家族などの介護者が代理として傷病者端末を操作し、傷病者情報を入力するものであっても勿論構わない。
【００２４】
さらに、本発明の医療情報提供システムは、上記構成に加え、「前記医療者端末は、前記管理サーバから提供される前記傷病者情報を、前記通信ネットワークを介して受付ける傷病者情報受付手段と、受付けた前記傷病者情報に基づいて前記指示情報を作成し、前記管理サーバに対して送出する指示情報送出手段と」をさらに具備するものであっても構わない。
【００２５】
したがって、本発明の医療情報提供システムによれば、医療者端末は、管理サーバから提供される傷病者情報を受付けるとともに、受付けた傷病者情報に応じて傷病者の治療に係る指示情報を作成し、管理サーバに対して送出することができる。これにより、傷病者の症状等を、地理的制限によることなく、上述した入院を勧めるなどの的確な指示を傷病者に対して行うことが可能となる。
【００２６】
さらに、本発明の医療情報提供システムは、上記構成に加え、「前記医療者端末は、受付けた前記傷病者情報及び前記指示情報の少なくともいずれか一方を含む治療指示情報を、前記通信ネットワークに接続した第二医療者端末に対して提供する治療指示情報提供手段をさらに具備し、前記第二医療者端末は、前記治療指示情報提供手段によって前記医療者端末から提供される前記治療指示情報を、前記通信ネットワークを介して受付ける治療指示情報受付手段と、受付けた前記治療指示情報に基づいて前記指示情報を作成し、前記管理サーバに対して前記通信ネットワークを介して送出する第二指示情報送出手段と」を具備するものである。
【００２７】
したがって、本発明の医療情報提供システムによれば、傷病者情報を受付けた医療従事者が前述したように直接治療に対する指示を行うことも可能であるが、傷病者情報を受付けた医療者端末を利用する医療従事者（例えば、医師）の判断によって、さらに別の医療従事者（看護師、薬剤師、及びさらに当該分野で高い専門知識を有する医師など）の利用する第二医療者端末に傷病者情報を提供し、係る別の医療従事者から指示情報を傷病者端末に送出することが可能となる。すなわち、傷病者情報に基づいて検索される医療従事者の人脈及び経験によって、さらに治療に適した医療従事者を選出することが行われるようになる。
【００２８】
これにより、傷病者情報を医師が医療者端末を介して受付けた場合、医師の指示に基づいて薬剤師が薬に関するアドバイスを行ったり、看護師が傷病者の元に訪問し、注射などの医療行為を行わせることが可能となる。すなわち、医師、看護師、薬剤師、及び介護士等の医療従事者の連係によって治療を行えるようになる。そのため、医師等が遠隔地に居住している場合でも、看護師等への間接的な指示によって、医師の有する医療技術を伝承し、効率的な治療が可能となる。
【００２９】
さらに、本発明の医療情報提供システムは、上記構成に加え、「前記医療情報は、病院、介護施設、処方箋薬局を含む医療関連施設に係る規模、設備、及び管理体制に関する施設データをさらに有して構成され、前記施設データを利用して、前記医療従事者の前記傷病者情報提供手段における前記医療専門家の選定及び前記抽出手段による抽出の少なくともいずれか一方が行われる」ものであっても構わない。
【００３０】
したがって、本発明の医療情報提供システムによれば、医療情報データベースにデータベース化される医療情報の中に、医師や看護師等の医療従事者の勤務先に相当する病院、薬局、及び介護施設等の医療関連施設に関する情報、特に規模や設備等の医療事務管理体制に関する情報が含まれて記憶されている。すなわち、医師等の有する医療技術の個人的な能力とともに、治療に要する充分な設備が整っているかなどの、病院全体の治療体制の充実度を医療専門家及び抽出手段によって判断することが可能である。
【００３１】
さらに、本発明の医療情報提供システムは、上記構成に加え、「前記医療情報は、前記医療従事者及び前記医療関連施設に対する第三者評価を含む格付データをさらに有する」ものであっても構わない。
【００３２】
したがって、本発明の医療情報提供システムによれば、医療情報の中に、医療従事者及び医療関連施設に対する第三者評価を示す「ランキング」に相当する医療格付データが含まれている。これにより、選定若しくは抽出によって医療情報の提供を受けた傷病者は、係る医療格付データの内容に基づいて、医師等の診察を受けるかどうかを、自主性によって判断することが可能となる。すなわち、評価の高い医師が選定若しくは抽出された場合、傷病者は安心して診察を受けることができ、一方、評価の低い医師が選定若しくは抽出された場合、傷病者は他の医師の診察等を希望することが可能となる。これにより、地域性を考慮し、近接する地域から選定及び抽出された医療従事者による診察を受ける他に、地域性はあまり考慮しないで、ランキングの高位な医師（或いは医療関連施設）を傷病者の医師によって選択することが可能となる。
【００３３】
本発明の医療情報提供プログラムは、「医師、看護師、薬剤師、及び介護士を含む医療従事者の職種、専門分野、経歴、及び実務経験年数に係る情報を有する医療情報をデータベース化した医療情報データベースを記憶する記憶手段、傷病者の症状及び容態についての問診を行い、傷病者情報として取得するための問診データを配信要求先に配信する問診データ配信手段、前記問診データに入力された前記傷病者情報を、通信ネットワークを介して受付ける傷病者情報受付手段、前記傷病者の治療に適する前記医療従事者を、受付けた前記傷病者情報に基づいて、医療専門家によって前記医療情報データベースの前記医療情報の中から選定し、選定された前記医療従事者の利用する医療者端末に対して前記傷病者情報を提供する傷病者情報提供手段、前記傷病者情報の送出先に、選定された前記医療従事者に対応する前記医療情報を提供する医療情報提供手段、及び提供した前記傷病者情報に対し、前記医療者端末から送出される前記傷病者の治療に係る指示を含む指示情報を、前記通信ネットワークを介して受付けるとともに、前記傷病者情報の送出先に転送する指示情報転送手段として、前記通信ネットワークに接続した管理サーバを機能させる」もの、「受付けた前記傷病者情報及び前記医療情報データベースに基づいて、前記傷病者の治療に適する前記医療従事者を検索し、抽出する抽出手段、及び抽出された前記医療従事者に対応する前記医療者端末に、前記傷病者情報を前記通信ネットワークを介して提供する第二傷病者情報提供手段として、前記管理サーバをさらに機能させる」もの、「前記管理サーバに前記問診データの配信を要求する配信要求手段、配信された前記問診データを受付け、前記問診データへの前記傷病者の症状及び容態を示す前記傷病者情報の入力を受付ける傷病者情報入力手段、入力された前記傷病者情報を、前記通信ネットワークを介して送出する傷病者情報送出手段、前記管理サーバから提供される前記医療情報を、前記通信ネットワークを介して受付ける医療情報受付手段、及び前記管理サーバから転送される前記指示情報を、前記通信ネットワークを介して受付ける指示情報受付手段として、前記通信ネットワークに接続し、主として前記傷病者によって利用される傷病者端末を機能させる」もの、「前記管理サーバから提供される前記傷病者情報を、前記通信ネットワークを介して受付ける傷病者情報受付手段、及び受付けた前記傷病者情報に基づいて前記指示情報を作成し、前記管理サーバに対して送出する指示情報送出手段として、前記医療者端末を機能させる」もの、「受付けた前記傷病者情報及び前記指示情報の少なくともいずれか一方を含む治療指示情報を、前記通信ネットワークに接続した第二医療者端末に対して提供する治療指示情報提供手段として、前記管理サーバをさらに機能させ、前記治療指示情報提供手段によって前記医療者端末から提供される前記治療指示情報を、前記通信ネットワークを介して受付ける治療指示情報受付手段、及び受付けた前記治療指示情報に基づいて前記指示情報を作成し、前記管理サーバに対して前記通信ネットワークを介して送出する第二指示情報送出手段として、前記第二医療者端末を機能させる」ものから主に構成されている。
【００３４】
したがって、本発明の医療情報提供プログラムによれば、プログラムを実行することにより、管理サーバ、傷病者端末、医療者端末、及び第二医療者端末を、上述した作用をそれぞれ奏させることが可能となる。
【００３５】
【発明の実施の形態】
以下、本発明の一実施形態である医療情報提供システム１について、図１乃至図６に基づいて説明する。図１は本実施形態の医療情報提供システム１の概略構成を示す説明図であり、図２は医療情報提供システム１における管理サーバ２の機能的構成を示すブロック図であり、図３は医療情報提供システム１における傷病者端末３及び医療者端末４の機能的構成を示すブロック図であり、図４乃至図６は医療情報提供システム１における管理サーバ２、傷病者端末３、及び医療者端末４の処理の流れを示すフローチャートである。
【００３６】
本実施形態の医療情報提供システム１は、図１乃至図３に示すように、インターネットＩに通信回線Ｌを介して接続し、医師、看護師、薬剤師、及び介護士などの医療業務に携わる人材である医療従事者ＭＭの職種、専門分野、実績、実務経験年数、及び第三者による格付データＲＤを含む医療者データＭＤ及び医療従事者ＭＭが主として勤務する病院、処方箋薬局、及び介護・福祉施設等を含む医療関連施設の規模及び設備等にかかる施設データＳＤから構成される医療情報ＭＩを、データベース化した医療情報データベースＭＩＤを有する管理サーバ２と、インターネットＩに接続し、傷病者ＣＫが主に利用する傷病者端末３と、インターネットＩに接続し、医療従事者ＭＭが利用する医療者端末４とから主に構成されている。
【００３７】
本実施形態の医療情報提供システム１における管理サーバ２の機能的構成について、さらに説明すると、図２に示すように、傷病者情報ＳＩを所定の様式に沿って入力するための問診データＱＤを、配信要求に応じて傷病者端末３に配信する問診データ配信手段１０と、配信する問診データＱＤ、及び医療情報ＭＩをデータベース化した医療情報データベースＭＩＤ等の種々のデータ及び情報を記憶する記憶手段１１と、傷病者端末３から問診データＱＤの様式に沿って入力された傷病者情報ＳＩを受付ける傷病者情報受付手段１２と、受付けた傷病者情報ＳＩに基づいて、医療に関する豊富な専門知識を有する複数の医師等から構成される医療専門家チームＴＭにより、傷病者ＣＫの治療に適する医療従事者ＭＭを医療情報データベースＭＩＤの中から選定し、選定された医療従事者ＭＭの利用する医療者端末４に傷病者ＣＫの傷病者情報ＳＩをインターネットＩを介して提供する傷病者情報提供手段１３と、傷病者情報ＳＩ及び医療情報データベースＭＩＤに基づいて、傷病者ＣＫの治療に適する医療従事者ＭＭを検索し、抽出して医療者端末４に対して提供する抽出提供手段１４と、選定若しくは抽出された医療従事者ＭＭに対応する医療情報ＭＩを、インターネットＩを介して傷病者端末３に提供する医療情報提供手段１５と、医療者端末４から送出される傷病者ＣＫの治療に係る指示を含む指示情報ＤＩを、インターネットＩを介して受付けるとともに、傷病者情報ＳＩの送出先の傷病者端末３に対して転送する指示情報転送手段１６とを具備して主に構成されている。ここで、抽出提供手段１４が本発明における抽出手段及び第二傷病者情報提供手段に相当している。
【００３８】
さらに、管理サーバ２は、その他の機能的構成として、種々のデータ及び情報を送受信することが可能な管理側送信制御手段１７及び管理側受信制御手段１８を有する管理側通信手段１９と、受付けた種々のデータ及び情報を表示制御する管理側表示制御手段２０及び管理側表示手段２１を有している。
【００３９】
また、傷病者端末３は、図３に示すように、その機能的構成として、管理サーバ２に対し、問診データＱＤの配信を要求する配信要求手段３１と、管理サーバ２から配信された問診データＱＤを受付け、該問診データＱＤへの傷病者ＣＫの症状及び容態を示す傷病者情報ＳＩの入力を受付ける傷病者情報入力手段３２と、入力された傷病者情報ＳＩを、インターネットＩを介して送出する傷病者情報送出手段３３と、管理サーバ２から提供される医療情報ＭＩを、インターネットＩを介して受付ける医療情報受付手段３４と、転送される指示情報ＤＩを受付ける指示情報受付手段３５とを具備して主に構成されている。
【００４０】
さらに、傷病者端末３は、その他の機能的構成として、種々のデータ及び情報を管理サーバ２に対して送受信することが可能な傷病者側送信制御手段３６及び傷病者側受信制御手段３７に接続した傷病者側通信手段３８と、受付けた医療情報ＭＩ及び指示情報ＤＩ等を記憶する傷病者側記憶手段３９と、医療情報ＭＩ及び指示情報ＤＩ等を表示制御する傷病者側表示制御手段４０及び傷病者側表示手段４１とをさらに有している。
【００４１】
一方、医療者端末４は、図３に示すように、管理サーバ２から提供される傷病者情報ＳＩを、インターネットＩを介して受付ける傷病者情報受付手段５１と、受付けた傷病者情報ＳＩに基づいて傷病者ＣＫの治療に係る治療方針及びアドバイスを含む指示情報ＤＩを作成し、管理サーバ２に対して送出する指示情報送出手段５２と、第二医療者端末４ａに対して傷病者情報ＳＩ及び指示情報ＤＩの少なくともいずれか一方を含む治療指示情報ＤＤＩを提供する治療指示情報提供手段５３と、他の医療者端末４から送出される治療指示情報ＤＤＩを受付ける治療指示情報受付手段５４と、受付けた治療指示情報ＤＤＩに基づいて指示情報ＤＩを作成し、管理サーバ２に対して送出する第二指示情報送出手段（ここでは、指示情報送出手段５２が係る機能を有する）とを具備して主に構成されている。
【００４２】
さらに、医療者端末４は、その他の機能的構成として、種々のデータ及び情報を管理サーバ２及び傷病者端末３等に対して送受信することが可能な医療者側送信制御手段５５及び医療者側受信制御手段５６に接続した医療者側通信手段５７と、受付けた傷病者情報ＳＩ等を記憶する医療者側記憶手段５９と、傷病者情報ＳＩ等を表示制御する医療者側表示制御手段６０及び医療者側表示手段６１とをさらに有している。なお、医療者端末４は、治療指示情報ＤＤＩを作成し、送出する治療指示情報提供手段５３と、治療指示情報ＤＤＩを受付ける治療指示情報受付手段５４の双方の機能を兼備しているため、状況に応じて第二医療者端末４ａとして機能することができる。
【００４３】
ここで、管理サーバ２は、市販の汎用サーバを利用することができ、記憶手段１１としてハードディスク、通信手段１９としてモデム等の通信機器、表示手段２１としてモニタディスプレイなど、周知のハードウェア機器が利用されている。同様に、傷病者端末３及び医療者端末４は、市販のパーソナルコンピュータ、及びインターネットＩへの接続機能を有する携帯電話やＰＤＡなどの携帯情報端末を利用することが可能である。なお、これらに適用される通信手段３８，５７としてモデム等の通信機器、記憶手段３３，５９としてハードディスク等の記憶装置、表示手段４１，６１として陰極管（ブラウン管）及び液晶などから画面が構成されるディスプレイを利用することが可能である。
【００４４】
次に、本実施形態の医療情報提供システム１における管理サーバ２、傷病者端末３、及び医療者端末４（第二医療者端末４ａを含む）のそれぞれの処理の流れについて、図４乃至図６のフローチャートに基づいて説明する。ここで、図４乃至図６におけるステップＳ１〜Ｓ１３、ステップＴ１〜Ｔ１３、ステップＵ１〜Ｕ１０が本発明の医療情報提供プログラムに相当する。
【００４５】
はじめに、インターネットＩに接続した傷病者端末３は、傷病者ＣＫの症状等を示す傷病者情報ＳＩを所定の様式に沿って入力するための問診データＱＤの配信要求を行う指示の有無を検出する（ステップＴ１）。そして、問診データの配信要求の指示が有る場合（ステップＴ１においてＹＥＳ）、インターネットＩを介して接続された管理サーバ２に対して問診データＱＤの配信要求を行う（ステップＴ２）。一方、問診データＱＤの配信要求を行う指示がない場合（ステップＴ１においてＮＯ）、ステップＴ１の処理を継続する。
【００４６】
なお、問診データＱＤとは、傷病者情報ＳＩを作成する際に、予め設定された入力項目・質問項目に順次回答することにより、所定の形式（様式）に従った傷病者情報ＳＩを容易に作成することを可能にするためのものである。すなわち、傷病者ＣＫの氏名、生年月日等の基礎的な情報とともに、既往歴、手術歴、薬品等に対するアレルギーの有無、症状、及び服用している薬の名称などの治療に必要な情報が入力される。また、係る問診データＱＤは、さらに詳細な情報を入力するために、各専科毎（内科、外科、耳鼻咽喉科、及び眼科など）に特化した傷病者情報ＳＩの入力を促すように形成された問診データＱＤを提供するものであっても良い。
【００４７】
一方、管理サーバ２は、上述した傷病者端末３からの問診データＱＤの配信要求の有無を検出する（ステップＳ１）。そして、傷病者端末３からの問診データＱＤの配信要求がある場合（ステップＳ１においてＹＥＳ）、該配信要求に応じ、配信要求先に傷病者端末３に対して問診データＱＤの配信を行う（ステップＳ２）。一方、問診データＱＤの配信要求がない場合（ステップＳ１においてＮＯ）、管理サーバ２はステップＳ１の処理を継続する。
【００４８】
そして、傷病者端末３は、管理サーバ２から配信要求に応じて配信された問診データＱＤを受付けるとともに、問診データＱＤに記載された種々の入力・質問項目に対する回答の入力を受付ける（ステップＴ３）。これにより、送出する傷病者情報ＳＩを作成することができる。その後、作成された傷病者情報ＳＩを管理サーバ２に対して送出する（ステップＴ４）。
【００４９】
一方、問診データＱＤを配信した後の管理サーバ２は、傷病者端末３からの傷病者情報ＳＩの送出の有無を検出する（ステップＳ３）。そして、傷病者情報ＳＩの送出が検出される場合（ステップＳ３においてＹＥＳ）、係る傷病者情報ＳＩを受付け、記憶手段１１に記憶する（ステップＳ４）。一方、傷病者情報ＳＩの送出が検出されない場合（ステップＳ３においてＮＯ）、管理サーバ２はステップＳ３の処理を継続して行う。
【００５０】
その後、管理サーバ２は、受付けた傷病者情報ＳＩ及び医療情報データベースＭＩＤに記憶されている医療情報ＭＩに基づいて、傷病者ＣＫの症状及び容態等に応じ、治療に適する医療技術を有する医療従事者ＭＭを、医療専門家チーム（一人でも可）による判断によって選定、若しくは管理サーバ２の抽出提供手段１４に基づく抽出を行う（ステップＳ５）。ここで、治療に適する医療従事者ＭＭの選定・抽出は、医療専門家チームＴＭによる人の判断に委ねるものであっても、傷病者情報ＳＩに基づいて管理サーバ２が抽出するものであってもよい。さらに、管理サーバ２が抽出したものを医療専門家チームＴＭによって確認するものであってもよい。
【００５１】
そして、傷病者ＣＫの症状等に適する医療従事者ＭＭの該当が有る場合（ステップＳ６においてＹＥＳ）、該当する医療従事者ＭＭ等に対応する医療情報ＭＩを傷病者端末３に対して提供する（ステップＳ７）。さらに、該当する医療従事者ＭＭ等の利用する医療者端末４に対し、傷病者ＣＫの症状等を把握可能な傷病者情報ＳＩを、インターネットＩを介して提供する（ステップＳ８）。一方、傷病者ＣＫの症状等に適する医療従事者ＭＭが検索の結果、該当者がいない場合（ステップＳ６においてＮＯ）、該等する医療従事者ＭＭがいない旨を傷病者端末３に対して通知する（ステップＳ９）。なお、上述の該当者がいない旨の通知をする機会を設けず、必ず該当する医療従事者ＭＭを医療情報ＭＩに基づいて選定及び抽出するように設定するものであってもよい。
【００５２】
ここで、傷病者情報ＳＩを送出した後の傷病者端末３は、管理サーバ２から提供される医療情報ＭＩの検出有無の処理が行われ（ステップＴ５）、医療情報ＭＩを検出する場合（ステップＴ５においてＹＥＳ）、医療情報ＭＩを受付ける（ステップＴ６）とともに、記憶手段１１に記憶を行う（ステップＴ７）。一方、医療情報ＭＩが検出されない場合（ステップＴ５においてＮＯ）、さらに管理サーバ２から該当する医療従事者ＭＭ等がいない旨の通知がなされているか否かが判断され（ステップＴ１０）、係る通知がなされている場合（ステップＴ１０においてＹＥＳ）、通知を受付ける（ステップＴ１１）とともに、ステップＴ１２の処理に移る。一方、係る通知がされていない場合（ステップＴ１０においてＮＯ）、ステップＴ５の処理を継続し、医療情報ＭＩが提供されるまで待機する。
【００５３】
ここで、管理サーバ２は、傷病者情報ＳＩを医療者端末４に提供した後、医療者端末４から管理サーバ２に対して提供される傷病者ＣＫの治療に係る指示及びアドバイスを含む指示情報ＤＩの受付けの有無を検出し（ステップＳ１０）、指示情報ＤＩが検出される場合（ステップＳ１０においてＹＥＳ）、受付けた指示情報ＤＩを傷病者端末３に対して転送する（ステップＳ１１）。一方、指示情報ＤＩが検出されない場合（ステップＳ１０においてＮＯ）、ステップＳ１０の処理を繰返し、指示情報ＤＩの受付けの検出を継続する。
【００５４】
そして、管理サーバ２は、システムの終了の指示の有無を検出し（ステップＳ１２）、終了の指示が有る場合（ステップＳ１２においてＹＥＳ）、システムを終了する（ステップＳ１３）。一方、終了の指示がない場合（ステップＳ１２においてＮＯ）、ステップＳ１の処理に戻り、本システムを継続する。
【００５５】
傷病者端末３は、医療情報ＭＩを受付けた後、管理サーバ２から転送される指示情報ＤＩの有無を検出し（ステップＴ８）、指示情報ＤＩが検出される場合（ステップＴ８においてＹＥＳ）、指示情報ＤＩを受付ける（ステップＴ９）。一方、指示情報ＤＩが検出されない場合（ステップＴ８においてＮＯ）、傷病者端末３はステップＴ８の処理を継続する。その後、指示情報ＤＩを受付けた傷病者端末３は、システム終了の指示の有無を検出し（ステップＴ１２）、終了の指示が有る場合（ステップＴ１２においてＹＥＳ）、システムを終了する（ステップＴ１３）。一方、終了の指示がない場合（ステップＴ１２においてＮＯ）、ステップＴ１の処理に戻り、本システムを継続する。
【００５６】
さらに、医療者端末４は、前述の医療従事者ＭＭが利用するものであり、はじめに、ステップＳ８において管理サーバ２から提供される傷病者情報ＳＩの有無を検出する（ステップＵ１）。このとき、傷病者情報ＳＩが検出される場合（ステップＵ１においてＹＥＳ）、係る傷病者情報ＳＩの受付けを行う（ステップＵ２）。一方、傷病者情報ＳＩが検出されない場合（ステップＵ１においてＮＯ）、さらにその他の医療従事者ＭＭ（例えば、図１における医師Ａや看護師等に相当）が利用する医療者端末４から提供される治療指示情報ＤＤＩの有無の検出を行う（ステップＵ３）。ここで、治療指示情報ＤＤＩが検出される場合（ステップＵ３においてＹＥＳ）、治療指示情報ＤＤＩを受付ける（ステップＵ４）とともに、管理サーバ２に対して送出する傷病者ＣＫの治療に係る指示情報ＤＩを作成し、管理サーバ２に提供する（ステップＵ５）。そして、ステップＵ８の処理に移る。一方、治療指示情報ＤＤＩが検出されない場合（ステップＵ３においてＮＯ）、傷病者情報ＳＩ及び治療指示情報ＤＤＩのいずれの情報も受付けていないと判断し、ステップＵ１の処理を継続する。
【００５７】
そして、医療者端末４は、傷病者情報ＳＩを受付けた後に、管理サーバ２に対して直接、指示情報ＤＩを提供するか、或いは別の医療従事者ＭＭの利用する第二医療者端末４ａに対して治療指示情報ＤＤＩを提供し、第二医療者端末４ａから指示情報ＤＩの提供を行うか、否かの指示を検出する（ステップＵ６）。そして、治療指示情報ＤＤＩを第二医療者端末４ａに対して提供する場合（ステップＵ６においてＹＥＳ）、治療指示情報ＤＤＩを、インターネットＩを介して提供する（ステップＵ８）。一方、治療指示情報ＤＤＩの提供を行わないで、医療者端末４から指示情報ＤＩを提供する場合（ステップＵ６においてＮＯ）、指示情報ＤＩを管理サーバ２に対して提供する（ステップＵ７）。なお、管理サーバ２は、医療者端末４若しくは第二医療者端末４ａから提供された指示情報ＤＩを受付け、上述したステップＳ１１において示した指示情報ＤＩの傷病者端末３への転送を行う。
【００５８】
その後、指示情報ＤＩを提供した医療者端末４（若しくは、第二医療者端末４ａ）は、システム終了の指示の有無を検出し（ステップＵ９）、終了の指示が有る場合（ステップＵ９においてＹＥＳ）、システムを終了する（ステップＵ１０）。一方、終了の指示がない場合（ステップＵ９においてＮＯ）、ステップＵ１の処理に戻り、本システムを継続する。
【００５９】
以上説明したように、本実施形態の医療情報提供システム１により、傷病者ＣＫが、問診データＱＤに入力し、作成された傷病者情報ＳＩに基づいて、インターネットＩを通じて症状等の判断が医療専門家チームＴＭ若しくは管理サーバ２の抽出処理によって行われ、治療に適する医療従事者ＭＭが選ばれる。そして、選定若しくは抽出された医療従事者ＭＭに関する医療情報ＭＩが傷病者端末３に提供され、傷病者ＣＫはこれを閲覧することができる。さらに、管理サーバ２は選定若しくは抽出された医療従事者ＭＭの使用する医療者端末４に対し、傷病者情報ＳＩを提供するとともに、該医療者端末４から治療に対するアドバイスを含む指示情報ＤＩを、傷病者ＳＩとして管理サーバ２を経由して傷病者端末３は送出することができる。なお、傷病者情報ＳＩの受付けから、傷病者端末３に指示情報ＤＩを転送するまでの間は、可能な限り短期間で行われることが望ましく、例えば、総合で３０分以内に何らかの回答を指示情報ＤＩとして傷病者情報ＳＩに提供することが好適となる。
【００６０】
これにより、傷病者ＣＫが自らの症状に応じ、受診する適切な診療科（外科や耳鼻科など）が示されるとともに、高い医療技術を有する医師等の医療従事者ＭＭに関する医療情報ＭＩが提供される。そのため、傷病者ＣＫは、提供された医療情報ＭＩに含まれる医師の氏名、勤務先、及び連絡先（電話番号・電子メールアドレス）等によって直接コンタクトを取ることができる。その結果、傷病者ＣＫは、始めから治療に適する医師等の診察を受けることができるようになり、従来のように診療科をたらい回しされるようなことがなく、治療を速やかに受けることができ、不要な医療費の支払いが発生することが少なくなる。
【００６１】
なお、この場合、医療情報ＭＩに含まれる第三者評価を示す格付データＲＤに基づいて傷病者ＣＫが診察を受けるか、否かの判断を下すものであってもよい。なお、係る格付データＲＤは、過去に診察を受けた傷病者ＣＫの意見及び感想などの主観的なものから、予め実績及び経験年数等をポイント化してランキング形式にしたものであってもよく、傷病者ＣＫが診察を受けるかを主体的に判断できるような材料の一つとして提供されることが望ましい。
【００６２】
一方、選定若しくは抽出された医師等にとっても、予め傷病者ＣＫの症状等を傷病者情報ＳＩによって認識することができるため、診察後に直ぐに必要な処置を行うことができる。さらに、傷病者ＣＫが伝染性の疾患に罹患している場合、予め感染予防の措置を施した上で、診察を行うことができるため、院内感染や二次感染が拡がることがなくなる。加えて、格付データＲＤによって自らの第三者的な評価が決定され、公開されることになるため、医師等の医療従事者ＭＭは自らの評価を上げようとする意識を持ち、医療活動に従事することになり、傷病者ＣＫの評価が全体的に高まるようになる。
【００６３】
さらに、本実施形態の医療情報提供システム１によれば、医療従事者ＭＭと傷病者ＣＫとが離れた地域に居住している場合でも、傷病者情報ＳＩ及び指示情報ＤＩを互いに送受することにより、症状等に応じた適切な治療に関する指示及びアドバイスを受けることができる。そのため、無医村或いは近隣に専門医等がいない場所に居住している傷病者ＣＫであっても、高度な医療を受けられるようになる。また、海外の優れた医療技術を有する医師による診断等も可能となるため、地域性による障害を解消することできる。そのため、世界中の優れた医師等からの診察が可能となる。
【００６４】
加えて、管理サーバ２から傷病者情報ＳＩが提供された医療者端末４を利用する医療従事者ＭＭ（例えば、図１における医師Ａ）は、傷病者情報ＳＩに基づいて自ら指示情報ＤＩを作成し、管理サーバ２に提供することが可能である。さらに、自らが指示情報ＤＩを提供する替わりに、別の医療従事者ＭＭ（例えば、図１における医師Ｂ、看護師Ｃ、及び薬剤師Ｄなど）の利用する第二医療者端末４ａに対し、治療指示情報ＤＤＩを提供することもできる。すなわち、傷病者情報ＳＩの提供を受けた医療従事者ＭＭの判断で、さらに最適な医療技術に係る能力を有する医療従事者ＭＭ（医師Ｂなど）を選定したり、或いは実際に傷病者ＣＫの元まで出向き、注射等の医療行為を看護師Ｃに行わせるように指示したり、或いは薬剤師Ｄに医師Ａの決定した処方箋に基づいて薬の調合の指示をし、さらに傷病者ＣＫに投薬することなどが行える。すなわち、医師Ａ等の指示により、それぞれ専門的な医療技術を有する看護師Ｃ、及び薬剤師Ｄ等が医療活動を行えるようになり、傷病者ＣＫを医療技術者ＭＭのチームワークによって助けることができるようになる。なお、係る医療従事者ＭＭの中には傷病者ＣＫの元に行き、介護活動を行う訪問介護士が含まれるものであってもよい。
【００６５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００６６】
すなわち、本実施形態の医療情報提供システム１において、傷病者情報ＳＩの提供先を医師に提供するものを例示したが、管理サーバ２から提供される傷病者情報ＳＩの提供先は係る医師に限定されるものではない。例えば、医療専門家チームＴＭの判断による選定により、直接、薬剤師Ｄの元に傷病者情報ＳＩを行い、処方箋に基づく調合及び調合された薬の投薬を指示するものであっても構わない。
【００６７】
加えて、治療に適する医療従事者ＭＭの選定若しくは抽出を、管理サーバ２による抽出のみで行っても良い。これにより、傷病者情報ＳＩの受付けから、指示情報ＤＩの転送までにかかる時間を短縮することができる。また、管理サーバ２を運営する運営会社は、傷病者端末３を利用する傷病者ＣＫまたは登録された医療従事者ＭＭから本システムの利用に応じて課金し、或いは予め定めた契約料金（月決め等）を徴収することができる。
【００６８】
【発明の効果】
以上のように、本発明の医療情報提供システムは、傷病者及び医師等の医療従事者の間を、管理サーバによって仲介し、診察を受けるために必要、かつ有益な情報を傷病者に対して提供することができる。これにより、始めから自らの症状等に適した医師によって診察を受けることが可能となり、症状等を改善させる治療も最適なものが適宜選択されることになる。そのため、疾病からの快復が速やかとなる。さらに、通信ネットワークを介して種々の情報の送受が行われるため、無医村などの医療施設や医療に携わる人材が乏しい地域でも、高度な医療を受けられる体制が整えられるようになる。加えて、近年に多発する強力な感染症に対する防御を予め行うことが可能となり、院内感染や二次感染の恐れを軽減することができる。また、本発明の医療情報提供プログラムは、管理サーバ、傷病者端末、及び医療者端末を上述したそれぞれの効果を得るように奏させることができる。
【図面の簡単な説明】
【図１】本実施形態の医療情報提供システムの概略構成を示す説明図である。
【図２】医療情報提供システムにおける管理サーバの機能的構成を示すブロック図である。
【図３】医療情報提供システムにおける傷病者端末及び医療者端末の機能的構成を示すブロック図である。
【図４】医療情報提供システムにおける管理サーバ、傷病者端末、及び医療者端末の処理の流れを示すフローチャートである。
【図５】医療情報提供システムにおける管理サーバ、及び傷病者端末の処理の流れを示すフローチャートである。
【図６】医療情報提供システムにおける医療者端末の処理の流れを示すフローチャートである。
【符号の説明】
１  医療情報提供システム
２  管理サーバ
３  傷病者端末
４  医療者端末（第二医療者端末）
４ａ  第二医療者端末（医療者端末）
１０  問診データ配信手段
１１  記憶手段
１２  傷病者情報受付手段
１３  傷病者情報提供手段
１４  抽出提供手段（抽出手段、第二傷病者情報提供手段）
１５  医療情報提供手段
１６  指示情報転送手段
３１  配信要求手段
３２  傷病者情報入力手段
３３  傷病者情報送出手段
３４  医療情報受付手段
３５  指示情報受付手段
５１  傷病者情報受付手段
５２  指示情報送出手段
５３  治療指示情報提供手段
５４  治療指示情報受付手段
ＣＫ  傷病者
ＤＤＩ  治療指示情報
ＤＩ  指示情報
Ｉ  インターネット（通信ネットワーク）
ＭＩ  医療情報
ＭＩＤ  医療情報データベース
ＭＭ  医療従事者
ＱＤ  問診データ
ＲＤ  格付データ
ＳＤ  施設データ
ＳＩ  傷病者情報
ＴＭ  医療専門家チーム（医療専門家）
【図１】
2004303180.tif 000003
【図２】
2004303180.tif 000004
【図３】
2004303180.tif 000005
【図４】
2004303180.tif 000006
【図５】
2004303180.tif 000007
【図６】
2004303180.tif 000008